(57)【要約】      （修正有）【課題】机上に棚を設置しＯＡ機器等を効率良く配置する場合に、机上の棚の地震等の振動による横滑りや転倒を防止すると共に、簡単に棚の移動が行えレイアウト変更も容易にできる棚の固定構造を提供する。【解決手段】机１の天板２に格子状に設けられた溝３の交差部分に、着脱可能な十字型の部材６を差し込み、該十字型部材６と嵌合させる中空の棚脚５を差し込んで、天板上に棚４を設置し固定する構造とする。【選択図】図１
2008142263.tif 000002
【特許請求の範囲】
【請求項１】
棚の固定構造において、
基板と、前記基板上に格子状に設けられた溝と、
前記溝の交差する部分に嵌合される十字型部材と、
底面部が中空状の棚脚を有する棚と、
を備え、前記十字型部材が、前記棚脚に挿入されることを特徴とする棚の固定構造。
【発明の詳細な説明】
【技術分野】
【０００１】
本発明は、机上等に設置される棚の、地震等の振動による横滑りや転倒を防止する固定構造に関し、更には机上の棚移動やＯＡ機器等のレイアウト変更を容易にした耐震化構造に係わる。
【背景技術】
【０００２】
通常、パソコンなどのＯＡ機器を使用する場合、プリンタ装置などのＯＡ機器は机上のスペースを有効に利用するために、天板上に棚を設置し設置したこの棚の上に、プリンタ装置等を置いて使用することが多い。図６にこの状況を例示する外観図を示す。図６において、机の天板上にパーソナルコンピュータ（以下、パソコンまたはＰＣと略す）等のＰＣモニター、ＰＣ本体及びキーボード等を設置すると共に、図中の黒色で示す棚を設置し、この棚の上にプリンタ等を設置しており、限られた机上のスペースを有効に利用することが行われている。
【０００３】
机自体については、既に金具による固定などの耐震化が施されていることが多いが、この耐震化された机の上に置く棚については、平坦な天板に棚をそのまま於いて使用されることが多い。このように単に机上に棚を置いた場合は、プリンタ装置稼動時に生ずる振動、または地震による振動で棚が天板上を横滑りして移動したり、転倒あるいは棚足が机上から外れ落下したりと、棚が不安定な状態となって最終的に棚が転倒してしまうおそれがある。これは机上のＯＡ機器などの破損を招き、また機器の転倒により付近の使用者が怪我をする危険性もある。このため、天板上に設置した棚を固定するために天板あるいは棚足を加工し、金具による天板を棚足の連結が行われている。
【０００４】
しかしながら、固定金具を使用して棚の足と天板を固定する方法では、一旦設置してしまうと机の上の配置換えで棚を移動させたい場合には、棚を固定するための固定金具をつけ直す必要が生じるため、レイアウトの変更が容易ではない。また、固定金具を天板に固定していた場合には、ビス跡などの固定金具を外した跡が残ることにもなる。
【０００５】
特許文献１には、天板と固定する機器の間に変形可能な固定板を設置し机上の装置を固定する方式が記載されている。特許文献２には、机上の装置の固定にブロックと強磁性体を組み合わせて固定する方式が記載されている。しかし、これらのいずれの文献に示される構造でも、レイアウトの変更を容易にしつつ、耐震化等の転倒／落下防止に十分対応できる技術ではなく、この問題は本質的には解決されていない。
【特許文献１】特開平１０−１４６２３４号公報（第１−２頁、図１）
【特許文献２】特開２０００−７００５２号公報（第１−２頁、図１）
【発明の開示】
【発明が解決しようとする課題】
【０００６】
以上述べたように、従来の平坦な天板に棚をそのまま設置する方法は、地震などの発生により横滑りあるいは転倒が生じ大変危険である一方で、ネジなどの固定金具を使用し棚の足と天板を固定する方法では、一旦設置してしまうと棚の移動が困難になる問題が生ずる。本発明は、耐震化とレイアウト変更の容易性とを兼ね備えた棚の耐震化構造を提供することを目的とする。
【課題を解決するための手段】
【０００７】
机の天板等の基板に格子状に設けられた溝に、着脱可能な十字型の部材を差し込み、該十字型部材と嵌合される中空の棚脚を差し込んで、前記基板に棚を設置し固定する構造とし、これにより棚脚と十字型部材は一体化し、十字型部材が溝に差し込まれていることで地震による横滑りあるいは転倒を防ぐ。また、ネジによる固定でなく、設置後の移動は溝に差し込んだ十字型部材を一旦抜いて移動先の溝に再度、差し込むことで行う。
【発明の効果】
【０００８】
本発明による、天板に設けられた溝と十字型部材を利用して棚脚を固定する構造とすることで、平らな天板で発生しうるプリンタ装置稼動時の振動や地震発生時の振動による棚の横滑りや転倒の防止が可能となる。また、設置したＯＡ機器の横で、書籍、資料やその他の各種データを参照しつつデスクワークを行う上でも、棚の設置後の移動を気楽・容易に行って作業性を改善できる効果を有する。
【発明を実施するための最良の形態】
【０００９】
図１は本発明の一実施例の外観図であって、１は机、２は天板、３は溝、４は棚、５は棚脚、６は十字型部材であり、机上のスペースを有効に利用できるよう、天板上に棚４を設置することを示し、また、図１（ａ）で机の左側に設置した棚を、図１（ｂ）に示すように簡単に右側に移動して、再設置することができることを示すものである。尚、図１（ｂ）では、机１の足は省略している。同図及び以降の図面において、同一部品には同一番号を付し、説明は省略する。
【００１０】
図２は、ＯＡ機器等を載せる対象の机１を示し、机１の天板２は、ある程度の深さを持つ溝３が格子状に設けられている基板であって、この基板は、型による成形として製造しても良いし、溝を切削して掘っても良く製造方法は問わない。また、図１に示すように、机１の上に設置される棚４には、基本的に四隅に棚脚５を有しており、また、該棚脚５は中空構造になっていて、机１の天板２に接する底部の面は中空構造で空いている。
【００１１】
一方、図３に示すように、天板２の上に格子状に設けられた溝３には、十字型部材６が差し込まれ、更にその上に設置する棚の内部が中空の棚脚５を差し込む。図３（ａ）は、棚脚５を十字型部材６に差し込もうとする状況を示すもので、図３（ｂ）は、棚脚４を十字型部材６に差し込んだ状態を示す外観図である。棚脚５の中空構造の深さ（底面からの高さ）は、十字型部材６の高さ以上あればよいが、一般的には中空構造のパイプ等は、上方まで中空であり殆ど問題にはならない。また、十字型部材６の交差する角度は任意でよいが、汎用性や強度の面などからも９０°であることが望ましい。
【００１２】
これにより棚脚５と十字型部材６は一体化し、十字型部材６が溝３に差し込まれていることで、プリンタ装置稼動時に生ずる振動や地震による振動に伴う棚４の横滑りを防ぐことができ、机上から棚脚５が外れ棚４が不安定な状態となって生ずる機器の転倒及び落下を防ぐことが可能となる。
【００１３】
また、ネジによる固定ではないため設置後の移動は、図４に示すように、溝３に差し込まれた十字型部材６を一旦抜いて外し、新たな設置場所となる移動先の溝３に差し込むことで行う。その手順の詳細を図５に示す。図５（ａ）では、棚４は机１の左側に設置され、十字型部材６を天板２上の溝に差込み、棚足５をかぶせて棚４を固定している状態であるが、図５（ｂ）に示すように、棚４を移動させるために棚４を持ち上げると、固定金具で固定していないため、比較的容易に持ち上がるので、その後、図５（ｃ）に示すように十字型部材６を天板２上の移動箇所の溝３に差し込み直し、図５（ｄ）に示すように、十字型部材６に、棚足５をかぶせて棚４を固定することで移動が終了する。
【００１４】
このように、移動先の溝３に十字型部材６を差し込み直すことで容易に移動が可能であると共に、金具による固定で生ずる移動後の固定跡が残らず美観を損ねない。この十字型部材６を棚脚５に差し込んで固定する方法は、十字型部材６の大きさを数種類用意することで棚脚の形状が円柱または四角柱構造であれば、市販されている棚の棚脚の径に依存せずに設置可能であり、市販の棚についても対応が可能である。十字型部材６が差し込まれていない溝３についてはゴムなどの素材で溝を埋めておくことで溝の凹凸を気にすることなく、通常の机としての使用が可能となる。
【００１５】
尚、本発明は、棚の固定構造に関する発明であるので、机１や棚４のそれぞれの天板の上に装置等を設置する際の耐震化対策は別課題ではあるが、この場合には弾力性があり摩擦の大きなマット等の上に装置を設置する方法や、上記十字型部材６を利用して、装置のゴム足を固定する等の方法が考えられる。
【図面の簡単な説明】
【００１６】
【図１】本発明の実施例を表す全体外観図
【図２】本発明の実施例の、天板に格子状の溝が設けられた机の外観図
【図３】本発明の実施例の、天板の溝に十字型部材を差し込み棚脚を被せた外観図
【図４】本発明の実施例の、十字型部材の移動方法を説明する外観図
【図５】本発明の実施例の、棚の移動手順の説明図
【図６】従来の机の天板上に棚を設置した場合の外観図
【符号の説明】
【００１７】
１  机
２  天板
３  溝
４  棚
５  棚脚
６  十字型部材
【図１】
2008142263.tif 000003
【図２】
2008142263.tif 000004
【図３】
2008142263.tif 000005
【図４】
2008142263.tif 000006
【図５】
2008142263.tif 000007
【図６】
2008142263.tif 000008